(57)【要約】【課題】追加的な冷却方法を有するブレードサーバーハウジング及その液体冷却装置を提供する。【解決手段】ハウジング１０と、スロット１２と、マニホールド３０と、第１導管と、第２導管と、を備えるブレードサーバーハウジングである。スロット１２は、ブレードサーバー１４を収容するようにハウジング１０内に配置される。ブレードサーバー１４は、熱を生じるプロセッサー１６およびその熱をプロセッサー１６から発散する伝熱ブロックを備えている。マニホールド３０は、伝熱ゾーン２０に延出する冷却表面を支持するようにハウジング１０に設置される。冷却表面は、冷却液注入口および熱液排出口を備えて伝熱ブロックを通過する冷却液導管を備えている。伝熱ゾーン２０に位置決めされる冷却表面は、伝熱ブロックと接触する。第１導管は、冷却液供給器を冷却液注入口と連通させ、第２導管は、熱液排出口を伝熱ゾーンから離れるように連通する。【選択図】図１
2018190373.tif 000002
【特許請求の範囲】
【請求項１】
ブレードサーバーのハウジングに使用される液体冷却装置であって、
前記ハウジングは、ブレードサーバーを収容するスロットを備え、
前記ブレードサーバーは、熱を生じるプロセッサーおよびその熱を前記プロセッサーから発散する伝熱ブロックを備え、
前記ブレードサーバーが前記ハウジング内に配置される場合、前記伝熱ブロックは、前記ハウジングの伝熱ゾーンに位置決めされ、
前記液体冷却装置は、マニホールドと、第１導管と、第２導管と、を備え、
前記マニホールドは、前記伝熱ゾーンに延出する冷却表面を支持するように前記ハウジングに設置され、
前記冷却表面は、冷却液注入口および熱液排出口を備えて前記伝熱ブロックを通過する冷却液導管を備え、
前記伝熱ゾーンにある冷却表面は、前記伝熱ブロックと接触し、
前記第１導管は、冷却液供給器を前記冷却液注入口に連通させ、
前記第２導管は、前記熱液排出口を前記伝熱ゾーンから離れた位置と連通させることを特徴とする、液体冷却装置。
【請求項２】
前記液体冷却装置は、前記ハウジング内の第１方向に沿って互いに間隔を置いて配置される第１数量のスロットを、さらに備え、かつ、
前記マニホールドは、前記第１方向に沿って互いに間隔を置いて配置される第２数量の冷却表面を備え、かつ、
前記第２数量は、前記第１数量より大きいまたは等しいことを特徴とする、請求項１に記載の液体冷却装置。
【請求項３】
前記第１導管および前記第２導管は、前記第１方向に沿って延出し、かつ、
前記第２数量の冷却表面は、前記第１方向に略垂直な第２方向に沿って延出していることを特徴とする、請求項２に記載の液体冷却装置。
【請求項４】
前記冷却表面は、略円形の断面寸法を有し、かつ、
前記伝熱ブロックは、前記冷却表面と接触する凹溝を備えることを特徴とする、請求項１に記載の液体冷却装置。
【請求項５】
前記マニホールドは、チャネルを定義する周壁を備え、かつ、
前記冷却表面は、前記チャネル内に配置されることを特徴とする、請求項１に記載の液体冷却装置。
【請求項６】
ハウジングと、スロットと、マニホールドと、第１導管と、第２導管と、を備えるブレードサーバーハウジングであって、
前記スロットは、ブレードサーバーを収容するように前記ハウジング内に配置され、
前記ブレードサーバーは、熱を生じるプロセッサーおよびその熱を前記プロセッサーから発散する伝熱ブロックを備え、
前記マニホールドは、前記伝熱ゾーンに延出する冷却表面を支持するように前記ハウジングに設置され、
前記冷却表面は、冷却液注入口および熱液排出口を備えて前記伝熱ブロックを通過する冷却液導管を備え、
前記伝熱ゾーンに位置決めされる冷却表面は、前記伝熱ブロックと接触し、
前記第１導管は、冷却液供給器を前記冷却液注入口と連通させ、
前記第２導管は、前記熱液排出口を前記伝熱ゾーンから離れるように連通することを特徴とする、ブレードサーバーハウジング。
【請求項７】
前記ブレードサーバーハウジングは、前記ハウジングから熱を排出するように前記ハウジングに設置されるファンを、さらに備えることを特徴とする、請求項６に記載のブレードサーバーハウジング。
【請求項８】
前記マニホールドは、前記ハウジングの前記ファンに相対する内側に配置されることを特徴とする、請求項７に記載のブレードサーバーハウジング。
【請求項９】
前記マニホールドは、チャネルを定義する周壁を備え、かつ、
前記冷却表面は、前記チャネル内に配置されることを特徴とする、請求項６に記載のブレードサーバーハウジング。
【請求項１０】
前記冷却液注入口は、前記周壁の孔に挿通されることを特徴とする、請求項９に記載のブレードサーバーハウジング。
【発明の詳細な説明】
【技術分野】
【０００１】
本発明は、一種のオンボードの高性能プロセッサーを備えるブレードサーバー用のハイブリッド冷却式ハウジングに関する。
【背景技術】
【０００２】
ブレードサーバー用のハウジングは、通常、互いに間隔を置いて垂直に配置される複数のブレードサーバーを収容する。このタイプのハウジングは、典型的に１つまたは複数のブレードサーバーに搭載されたプロセッサーで生じる熱空気を排出するように、１つまたは複数のファンを備える。
【発明の概要】
【発明が解決しようとする課題】
【０００３】
プロセッサー速度の上昇につれて、プロセッサーを駆動するために必要な電流が増加し、プロセッサーで生じる熱も増加する。ファンが不十分な場合に、ハウジングは、プロセッサーを損壊するほどの温度に達する。そのため、プロセッサーの処理速度を強制的に低下させて、高温による損傷を避けている。
【０００４】
よって、ブレードサーバーハウジングにおいて、追加的な冷却方法が必要である。本発明は、ブレードサーバーハウジングに搭載する液体冷却表面を備える装置を提供し、より好ましくは、ハウジング内の各ブレードサーバー専用の液体冷却表面を備える装置を提供する。
【課題を解決するための手段】
【０００５】
本発明は、ブレードサーバーハウジングに使用される液体冷却装置を提供する。ハウジングは、ブレードサーバーを収容するスロットを有し、ブレードサーバーは、熱を生じるプロセッサーおよびその熱をプロセッサーから発散する伝熱ブロックを有する。ブレードサーバーがハウジング内に配置される場合、伝熱ブロックは、ハウジングの伝熱ゾーンに位置決めされる。液体冷却装置は、スロットと平行である平面に延出し伝熱ゾーンに延出する冷却表面を支持するように、ハウジングに設置されるマニホールドを、有する。冷却表面は、冷却液注入口および熱液排出口を有する伝熱ブロックを通過する冷却液導管を、有する。ブレードサーバーがハウジングのスロットに位置決めされる場合、冷却表面は、伝熱ゾーンに位置決めされ、伝熱ブロックと接触するついでに、プロセッサーが生成した熱を排出する。第１導管は、冷却液供給器を前記冷却液注入口と連通し、かつ、第２導管は、熱液排出口を伝熱ゾーンから離れている位置と連通させる。
【０００６】
ハウジングは、第１方向に沿って互いに間隔を置いて配置される第１数量のスロットを有し、かつ、マニホールドは、第１方向に沿って互いに間隔を置いて配置される第２数量の冷却表面を有し、そのうち、第２数量は、第１数量より大きいまたは等しい。第１導管および第２導管は、第１方向に沿って延出し、かつ、第２数量の冷却表面は、第１方向に略垂直な第２方向に沿って延出している。冷却表面は、略円形の断面寸法（ｃｒｏｓｓ−ｓｅｃｔｉｏｎａｌ  ｄｉｍｅｎｓｉｏｎ）を有し、かつ、伝熱ブロックは、冷却表面と接触する凹溝（ｃｏｎｃａｖｅ  ｃｈａｎｎｅｌ）を有する。マニホールドは、チャネルを定義する周壁を有し、かつ、冷却表面は、チャネル内に配置される。
【０００７】
本発明は、ブレードサーバーハウジングをさらに提供する。ハウジングは、熱を生じるプロセッサーを収容するブレードサーバーと、プロセッサーからの熱を排出するようにハウジングの伝熱ゾーンにある伝熱ブロックと、を有する。マニホールドは、スロットと平行である平面に延出し伝熱ゾーンに延出する冷却表面を支持するように、ハウジングに設置される。冷却表面は、冷却液注入口および熱液排出口を有する伝熱ブロックを通過する冷却液導管を有する。冷却表面は、伝熱ブロックと接触するように伝熱ゾーン内に位置決めされる。ハウジングは、冷却液供給器と冷却液注入口とを連通する第１導管と、熱液排出口を伝熱ゾーンから離れるように連通する第２導管と、をさらに有する。
【０００８】
ブレードサーバーハウジングは、熱をハウジングから排出するようにハウジングに設置されるファンを、さらに有する。マニホールドは、ハウジングのファンに相対する内側に配置される。ハウジングは、第１方向に沿って互いに間隔を置いて配置される第１数量のスロットを有し、かつ、マニホールドは、第１方向に沿って互いに間隔を置いて配置される第２数量の冷却表面を有し、そのうち、第２数量は、第１数量より大きいまたは等しい。第１導管および第２導管は、第１方向に沿って延出し、かつ、第２数量の冷却表面は、第１方向に略垂直な第２方向に沿って延出している。冷却表面は、略円形の断面寸法を有し、かつ、伝熱ブロックは、冷却表面と接触する凹溝を有する。マニホールドは、チャネルを定義する周壁を有し、かつ、冷却表面は、チャネル内に配置される。
【０００９】
本発明は、一種のハイブリッド冷却式ブレードサーバーハウジングをさらに提供し、ハウジングは、熱を生じるプロセッサーを収容するブレードサーバーと、プロセッサーからの熱を排出するようにハウジングの伝熱ゾーンに位置する伝熱ブロックと、を有する。マニホールドは、スロットと平行である平面に延出し伝熱ゾーンに延出する冷却表面を支持するように、ハウジングに設置される。冷却表面は、冷却液注入口および熱液排出口を有する伝熱ブロックを通過する冷却液導管を有する。冷却表面は、伝熱ブロックと接触するように、伝熱ゾーン内に位置決めされる。ハウジングは、熱をハウジングから排出するようにハウジング内に設置されるファンを、さらに有する。ファンは、ハウジングのマニホールドに相対する外側に位置決めされる。
【００１０】
ハイブリッド冷却式ブレードサーバーハウジングは、第１方向に沿って互いに間隔を置いて配置される第１数量のスロットを有し、かつ、マニホールドは、第１方向に沿って互いに間隔を置いて配置される第２数量の冷却表面を有し、そのうち、第２数量は、第１数量より大きいまたは等しい。第１導管および第２導管は、第１方向に沿って延出し、かつ、第２数量の冷却表面は、第１方向に略垂直な第２方向に沿って延出している。冷却表面は、略円形の断面寸法を有し、かつ、伝熱ブロックは、冷却表面と接触する凹溝を有する。マニホールドは、チャネルを定義する周壁を有し、かつ、冷却表面は、チャネル内に配置され、かつ、周壁は、略Ｃ字形である。冷却液注入口は、周壁の孔に挿通される。
【図面の簡単な説明】
【００１１】
【図１】液体冷却式ブレードサーバーハウジングの斜視図である。
【図２】ブレードサーバーがハウジング内に設置されている場合の液体冷却式ブレードサーバーハウジングの斜視図である。
【図３】ブレードサーバーが完全にハウジング内に設置され、かつ、ブレードサーバーの伝熱ブロックが装置の冷却表面と接触している場合の液体冷却式ブレードサーバーハウジングの斜視図である。
【図４】伝熱ブロックが装置の冷却表面と接触している状態でのブレードサーバーの平面図である。
【図５】伝熱ブロックが装置の冷却表面から分離された状態でのブレードサーバーの平面図である。
【図６】ブレードサーバーの斜視図である。
【図７】ハウジングの伝熱ゾーンの拡大図である。
【図８】図４の線８−８に沿った断面部分の拡大図である。
【発明を実施するための形態】
【００１２】
本発明を理解するために、添付の図面および添付書類を参照し、一例として以下に実施形態を説明する。図１は、液体冷却式ブレードサーバーハウジングの斜視図である。図２は、ブレードサーバーがハウジング内に設置されている場合の液体冷却式ブレードサーバーハウジングの斜視図である。図３は、ブレードサーバーが完全にハウジング内に設置され、かつ、ブレードサーバーの伝熱ブロックが装置の冷却表面と接触している場合の液体冷却式ブレードサーバーハウジングの斜視図である。図４は、ブレードサーバーの伝熱ブロックが装置の冷却表面と接触している状態のブレードサーバー平面図である。図５は、ブレードサーバーの伝熱ブロックが装置の冷却表面から分離された状態のブレードサーバー平面図である。図６は、ブレードサーバーの斜視図である。図７は、ハウジングの伝熱ゾーンの拡大図である。図８は、図４の線８−８に沿った断面部分の拡大図である。
【００１３】
本発明は、異なる形態で実施することが可能であるが、本明細書に添付図面を参照しながら好ましい実施形態を、詳細に説明する。本開示の内容は、本発明の原理を説明する例示的な実施形態であり、本発明の範囲を制限する意図はない。
【００１４】
図１〜図３に示されるのは、ハイブリッド冷却式ブレードサーバーハウジング１０である。ハイブリッド冷却式ブレードサーバーハウジング１０は、ブレードサーバー１４を支持するようにハウジング内に設置されるスロット１２または他のタイプの支持体を備える。説明のために、単一のブレードサーバー１４が示されているが、ハウジングは、複数のブレードサーバーを収容することが可能である。ブレードサーバーは、第１方向に沿って互いに間隔を置いて配置される複数のスロット１２に支持され、かつ、各ブレードサーバーは、互いに並行する複数の平面に延出する。例示的な実施形態において、複数のスロット１２は、垂直方向に沿って互いに間隔を置いて配置される。だが、理解されるべきは、複数のスロット１２は、水平方向に沿って互いに間隔を置いて配置することも可能であり、また、他の複数の平行である平面に沿って設置することも可能であることである。
【００１５】
図４〜図８に示されたブレードサーバー１４は、熱を生じるプロセッサー１６およびその熱をプロセッサー１６から排出する伝熱ブロック１８または熱交換ブロックを備える。図面に示されているのは単一の伝熱ブロック１８であるが、本発明の範囲から逸脱することなく、複数の伝熱ブロック１８、例えば２〜１０個の伝熱ブロック１８を、各ブレードサーバーに設置することも可能であると理解されるべきであろう。伝熱ブロックは、銅、アルミニウム、黄銅、鉄、鋼などの熱を発散する材料で製造されるべきである。伝熱ブロック１８の表面１９（図５を参照）は、以下に説明される液体冷却表面（ｌｉｑｕｉｄ−ｃｏｏｌｅｄ  ｓｕｒｆａｃｅ）に接触するように構成されている。表面１９は、熱交換能力を最大にするため、これらの熱交換表面の係合面積を最大にするための、冷却表面の形状に相補する形状を有することが可能である。適切な形状は、円形、楕円形、または、多角形の一部に相補する形状が含まれる。適切な多角形は、三角形、四角形、正方形、五角形などを含む３〜１２個の頂点を有する多角形を含む。さらに、伝熱ブロックは、複数の冷却表面と接触するように配置することが可能である。
【００１６】
伝熱ブロック１８は、ブレードサーバーに直接または剛性連結を介して取り付けることが可能である。また、伝熱ブロック１８は、軸を中心にして枢動可能に取り付けられ、ばね力によって付勢され、伝熱ブロック１８が冷却表面４２に連続的に押し付けられるようにすることも考えられる。伝熱ブロックの表面は、不規則または艶消し仕上げの表面を形成するように、加工することも可能である。
【００１７】
ハウジングに「ハイブリッド冷却式」と名付けている理由は、ハウジングにおいて、冷却表面４２をブレードサーバー１４の伝熱ブロック１８と接触するように位置決めすることと、ファンによって循環する冷気との冷却効果と、を結合しているためである。ブレードサーバーが完全にハウジングに挿入される場合、伝熱ブロック１８の寸法は、冷却表面４２と接触するように構成される。この位置において、伝熱ブロック１８は、ブレードサーバーの伝熱ゾーン２０において冷却表面４２と接触する。伝熱ゾーン２０は、プロセッサー１６を囲む空間と、その空間から後方に延出するハウジングのファン領域７２およびブレードサーバーの他の電子部品、放熱フィンまたは他の特徴を備える後方領域と、を含む。このようなハイブリッド冷却方法は、ブレードサーバーに使用される高速かつ高発熱のプロセッサーに適した環境を、提供する。
【００１８】
本発明の一実施形態において、冷却表面４２は、一般的に平坦で矩形であり、上端、下端および相対する側辺を備える。その表面は、連続材料ウエブ（ｗｅｂ）であり、そのウエブの一側は、冷却表面４２であってもよく、かつ、他側は、冷却液供給器からの冷却液に直接または間接的に接触しても良い。本発明の一実施形態において、冷却表面４２は、矩形チューブの１つの面であり、冷却液は、そのチューブ内の管腔を通過して長さ方向に沿って流れる。単一の冷却表面４２は、ハウジング内に収容された各ブレードサーバーまたはブレードサーバーのサブセットを、冷却することが可能である。
【００１９】
冷却表面４２は、複数の表面を備えることが可能である。それぞれの冷却表面の１つ以上の表面は、ハウジング内の伝熱ブロック１８が設置され得る位置に対応する。例えば、５つのブレードサーバーを収容できるハウジングは、５つの冷却表面を備える。それぞれのブレードサーバーが対応する冷却表面は、１つ以上であっても良く、例えば、それぞれのブレードサーバーが２〜５個の冷却表面に対応する。また、１つの冷却表面が複数の伝熱ブロックに接触することも可能である。
【００２０】
具体的な一実施形態において、冷却表面４２は、実際、冷却液導管（ｃｈｉｌｌｅｄ  ｆｌｕｉｄ  ｃｏｎｄｕｉｔ）であっても良く、熱を排出するように冷却液導管の表面を伝熱ブロック１８と接触させる。
【００２１】
図１〜３および図７に示されるように、垂直方向に間隔を置いて配置される複数の冷却表面４２は、マニホールド３０内に設置される。複数の冷却表面４２は、それぞれブレードサーバー１４の伝熱ブロック１８と接触する。マニホールド３０は、垂直チャネル３４を定義する略Ｃ字形壁３２を備える。Ｃ字形壁は、略矩形であるバックボーン（ｂａｃｋｂｏｎｅ）３６を備える。バックボーン３６は、バックボーン３６と同じ方向に延出しかつ垂直方向に離れる末端フランジ（ｔｅｒｍｉｎａｌ  ｆｌａｎｇｅ）３８を備える。末端フランジ３８は、垂直方向に間隔を置いて配置される複数の貫通孔４０を備える。末端フランジ３８上の１つ貫通孔４０は、末端フランジ３８の向こう側にある貫通孔４０と対応する。複数の冷却液導管４２は、チャネル３４を通って一方の末端フランジ３８から対向する末端フランジ３８まで延在し、かつ、その中の少なくとも１つは、伝熱ブロック１８と係合している。複数の冷却液導管４２は、一端４４で冷却液を受け取り、伝熱ブロック１８の熱を除去するために相対する末端４６から、熱液を排出する。
【００２２】
冷却液供給導管４８は、末端フランジ３８に沿って垂直に延出し、複数の分岐供給導管５０に冷却液を圧力下で供給するための管腔４９を備える。分岐供給導管５０は、垂直方向に間隔を置いて配置され、かつ、冷却液供給導管４８から略垂直に延出する（図５および図６を参照）。それぞれの分岐供給導管５０は、それぞれの冷却液導管４２の末端４４と連通する。
【００２３】
図５および図６に示されるように、熱液排出導管５２は、末端フランジ３８と相対して垂直に延出し、複数の分岐排出導管５６からの熱液を、圧力下で排出する管腔５４を備える。分岐排出導管５６のそれぞれは、冷却液導管４２のそれぞれの末端４６と一対一的に連通する。図１に示されるように、熱液の流れは、下方向５８に沿っており、冷却液の流れは、上方向６０に沿っている。この配置は単なる例示であり、液体の流れが冷却表面（または複数の冷却表面）を提供できる限り、液体の流れの向きが変更されても良い。
【００２４】
複数の冷却液導管４２は、伝熱ゾーン２０に設置される。冷却液導管４２のそれぞれは、ハウジング１０に液体冷却を提供するように、ブレードサーバー１４のそれぞれの伝熱ブロック１８と一対一的に係合する。ハウジング１０は、ファン７０をさらに備え、または、図４および図５に示されるように、ハウジング１０から熱を排出するように設置される２つのファンを備える。図１〜図３に示されるのは、ファン７０が取り外されたファン領域７２である。ファン領域７２は、冷却された空気が伝熱ゾーン２０内に循環できるように、サーバー室と連通する通気口または開放壁を備える環境を有する。ファン７０は、マニホールド３０からハウジング１０の外側に位置する。逆に言うと、マニホールド３０は、ファン７０またはファン領域７２からハウジング１０の内側に位置する。
【００２５】
それぞれの冷却液導管４２は、略円形の断面寸法を有するが、本発明の範囲を離脱しない限り、楕円形、多角形のような他の形も使用可能である。適切な多角形の形状は、三角形、四角形、正方形、五角形などを含む３〜１２の頂点を有する多角形を含む。図７に示されるように、伝熱ブロック１８は、それに相似または相補する溝７４を備え、例えば、図面に示されるような波状、または、冷却液導管の形状と相補する任意の形状であっても良い。
【００２６】
冷却液源から冷却表面への冷却液の流れを制御し、冷却表面から離れる熱液の流れを制御するバルブおよびポンプを設置することが考えられる。例えば、バルブを使用して、冷却液の流れを個別かつ独立に制御し、現有のブレードサーバーに対応する冷却表面だけに冷却液を提供することが可能である。つまり、現有のブレードサーバーに対応していないアイドル冷却表面には冷却液を提供しないようにする。最も好ましい冷却液は、液体水であるが、他の液体、気体、超臨界流体、例えば二酸化炭素（ドライアイス）および液体窒素であっても良い。
【００２７】
図６に示されるのは、プロセッサー１６を備えるブレードサーバー１４である。ブレードサーバー１４は、複数の熱交換管８０を備える。一組の熱交換管は、プロセッサー１６を伝熱ブロック１８と連結し、もう一組の熱交換管８０は、伝熱ブロック１８を放熱フィン８２と連結する。
【００２８】
以上、本発明の様々な実施形態について説明したが、本発明の実施態様を限定するものではなく、例示として提示されたものであることを理解されたい。開示された実施形態に対する多数の変更が、本発明の趣旨又は範囲から逸脱することなく、本明細書の開示に沿って行うことが可能である。したがって、本発明の範囲及び範囲は、上記いずれかの実施形態によって限定されるべきではない。むしろ、本発明の範囲は、以下の特許請求の範囲及びその同等の範囲によって定義されるべきである。
【００２９】
本発明は、１つ又は複数の実施態様について説明されているが、本明細書及び添付の図面を理解した上で、当業者は同等の変更及び修正がなされるであろう。さらに、本発明の特定の特徴は、いくつかの実施態様の１つだけに開示されているかもしれないが、このような特徴は、所要又は特定の用途に対応するように、他の実施形態に記載された１つ又は複数の他の特徴と組み合わせることも可能である。
【００３０】
本明細書で使用する用語は、特定の実施形態のみを説明するためのものであり、本発明を限定するものではない。本明細書で使用されるように、単数形「１つ（ａ）」、「１つ（ａｎ）」及び「前記（ｔｈｅ）」は、文脈に明示されていない限り、複数形も含むことが意図している。さらに、「備える（ｉｎｃｌｕｄｉｎｇ）」、「備える（ｉｎｃｌｕｄｅｓ）」、「有する（ｈａｖｉｎｇ）」、「有する（ｈａｓ）」、「有する（ｗｉｔｈ）」、又は、それらの変形が、詳細な説明及び／又は特許請求の範囲において使用される限り、そのような用語は、「備える（ｃｏｍｐｒｉｓｉｎｇ）」という用語と同様、包括的であることを意図する。
【００３１】
他に定義されない限り、本明細書で使用される全ての用語（技術用語及び科学用語を含む）は、本発明が属する技術分野の当業者によって一般的に理解されるのと同じ意味を有する。さらに、一般に使用される辞書に定義されているような用語は、関連技術の文脈における意味と一致する意味を有するものとして解釈されるべきであり、本明細書で明示的に定義されていない限り、理想化された又は過度に形式的な意味で解釈されることはないと理解されるであろう。
【符号の説明】
【００３２】
１０  ハウジング、
１２  スロット、
１４  ブレードサーバー、
１６  プロセッサー、
１８  伝熱ブロック、
１９  表面、
２０  伝熱ゾーン、
３０  マニホールド、
３２  Ｃ字形壁、
３４  溝、
７４  チャネル、
３６  バックボーン、
３８  末端フランジ、
４０  貫通孔、
４２  冷却表面（冷却液導管）、
４４、４６  末端、
４８  冷却液供給導管、
４９、５４  管腔、
５０  分岐供給導管、
５２  熱液排出導管、
５６  分岐排出導管、
５８  下方向、
６０  上方向、
７０  ファン、
７２  ファン領域、
８０  熱交換管、
８２  放熱フィン。
【図１】
2018190373.tif 000003
【図２】
2018190373.tif 000004
【図３】
2018190373.tif 000005
【図４】
2018190373.tif 000006
【図５】
2018190373.tif 000007
【図６】
2018190373.tif 000008
【図７】
2018190373.tif 000009
【図８】
2018190373.tif 000010